Podtech/llm-jp-corpus-v4-ja_patent huggingface dataset:
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
構造式（Ｉ）：
【化１】
2018536716.tif 000001
（式中、
Ａは、
【化２】
2018536716.tif 000002
であり、
Ｂは、水素であり；
Ｒ１及びＲ２は、それらが結合している炭素原子と一緒になって、アリール、置換アリール、ヘテロアリール又は置換ヘテロアリールを形成し；
Ｘは、水素、−Ｃ＝ＮＯＲ４、−Ｃ（Ｏ）ＮＲ５Ｒ６、アルキル、置換アルキル、アリール、置換アリール、アリールアルキル、置換アリールアルキル、ヘテロアルキル、置換ヘテロアルキル、ヘテロアリール、置換ヘテロアリール、ヘテロアリールアルキル又は置換ヘテロアリールアルキルであり；
Ｙは、水素、−Ｃ＝ＮＯＲ７、−Ｃ（Ｏ）ＮＲ８Ｒ９、アルキル、置換アルキル、アリール、置換アリール、アリールアルキル、置換アリールアルキル、ヘテロアルキル、置換ヘテロアルキル、ヘテロアリール、置換ヘテロアリール、ヘテロアリールアルキル又は置換ヘテロアリールアルキルであり；
Ｒ４は、水素、アルキル又は置換アルキルであり；
Ｒ５は、水素、アルキル又は置換アルキルであり；
Ｒ６は、水素、アルキル、置換アルキル又はＯＲ１５であり；
Ｒ７は、水素、アルキル又は置換アルキルであり；
Ｒ８及びＲ９は、独立して水素、アルキル又は置換アルキルであり；
Ｒ１５は、水素、アルキル又は置換アルキルであり、
Ｌは、Ｃ４シクロアルキル、Ｃ６シクロアルキル、Ｃ７シクロアルキル、Ｃ８シクロアルキル、（Ｃ３〜Ｃ８）置換シクロアルキル、
【化３】
2018536716.tif 000003
に置換されたシクロヘキシル、（Ｃ３〜Ｃ８）シクロヘテロアルキル、Ｃ３置換シクロヘテロアルキル、Ｃ５置換シクロヘテロアルキル、Ｃ６置換シクロヘテロアルキル、Ｃ７置換シクロヘテロアルキル、Ｃ８置換シクロヘテロアルキル、
【化４】
2018536716.tif 000004
である）の化合物又はその塩、水和物若しくは溶媒和物。
【請求項２】
Ｒ１及びＲ２は、それらが結合している炭素原子と一緒になって、フェニル、置換フェニル、ピリジル又は置換ピリジルを形成する、請求項１に記載の化合物。
【請求項３】
Ｌは、Ｃ４シクロアルキル、Ｃ６シクロアルキル、Ｃ７シクロアルキル、またはＣ８シクロアルキルである、請求項１に記載の化合物。
【請求項４】
Ｌは
【化５】
2018536716.tif 000005
（式中、ｎは、０、１又は２であり、Ｋは、−ＮＲ３１−又は−Ｏ−であり、Ｒ３１は、水素、アルキル又は置換アルキルである）である、請求項１に記載の化合物。
【請求項５】
Ｌは、置換シクロヘキシル基または
【化６】
2018536716.tif 000006
に置換されたシクロヘキシルである、請求項１に記載の化合物。
【請求項６】
Ｌは
【化７】
2018536716.tif 000007
（式中、Ｚは、アルキル、置換アルキル、アリール、置換アリール、アリールアルキル、置換アリールアルキル、ヘテロアルキル、置換ヘテロアルキル、ヘテロアリール、置換ヘテロアリール、ヘテロアリールアルキル又は置換ヘテロアリールアルキルであり；Ｕは、水素、アルキル又は存在しない）である、請求項５に記載の化合物。
【請求項７】
Ｚは、アルキル、置換アルキル、ヘテロアルキル又は置換ヘテロアルキルである、請求項６に記載の化合物。
【請求項８】
Ｚは
【化８】
2018536716.tif 000008
であり、Ｕは水素である、請求項７に記載の化合物。
【請求項９】
Ｌは
【化９】
2018536716.tif 000009
に置換されたシクロヘキシルである、請求項５に記載の化合物。
【請求項１０】
構造式（ＩＩ）：
【化１０】
2018536716.tif 000010
（式中、Ｄは−ＣＨ−又は−Ｎ−であり、Ｒ３２はアルキル、ハロ、−ＯＲ３３、−ＮＨＲ３４、−ＣＦ３又は−ＣＮであり；ｎは、０〜４の整数であり；Ｒ３３は、水素、アルキル、−（ＣＯ）ＮＲ３５Ｒ３６又は−ＳＯ２ＮＲ３７Ｒ３８であり；Ｒ３４、Ｒ３５、Ｒ３６、Ｒ３７及びＲ３８は、独立して水素又はアルキルである）の請求項１に記載の化合物。
【請求項１１】
請求項１に記載の化合物及び薬学的に許容可能なビヒクルを含む医薬組成物。
【請求項１２】
ヒトを除く対象動物におけるノシセプチン受容体介在性疾患の処置方法であって、前記処置を必要とする該対象動物に、請求項１に記載の化合物又は請求項１１に記載の医薬組成物を投与することを含む、方法。
【請求項１３】
ノシセプチン受容体の調節方法であって、請求項１に記載の化合物又は請求項１１に記載の医薬組成物をヒトを除く対象動物に投与することを含む、方法。
【請求項１４】
ヒトを除く対象動物における薬物乱用および依存症の処置または予防方法であって、前記処置又は予防を必要とする該対象動物に、請求項１に記載の化合物又は請求項１１に記載の医薬組成物を投与することを含む、方法。
【請求項１５】
ヒトを除く対象動物における薬物乱用および依存症を処置または予防するためのノシセプチン受容体の調節方法であって、前記処置又は予防を必要とする該対象動物に、請求項１に記載の化合物又は請求項１１に記載の医薬組成物を投与することを含む、方法。
【請求項１６】
以下の構造式：
【化１１】
2018536716.tif 000011
を有する、請求項１に記載の化合物。
【請求項１７】
以下の構造式：
【化１２】
2018536716.tif 000012
を有する、請求項１に記載の化合物。
【請求項１８】
以下の構造式：
【化１３】
2018536716.tif 000013
を有する、請求項１に記載の化合物。
【請求項１９】
以下の化合物：
【化１４】
2018536716.tif 000014
からなる群から選択される、請求項１に記載の化合物。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
・式（Ｉ）のメタロセン
［｛Ｐ（Ｃｐ1）（Ｃｐ2）ＭｅｔＧ（Ｌ）x｝p］（Ｉ）
（−  Ｍｅｔは、希土類金属の原子であり、
−  記号Ｇは、塩素、ヨウ素および臭素から選択されるハロゲン原子、またはボロヒドリドＢＨ4基、アミド基、アルキル基およびシリルアルキル基から選択される一価のリガンドを表し、
−  Ｌは、錯化溶媒の分子を表し、
−  ｘは、整数であるか、または整数ではない０以上の数であり、
−  ｐは、１または２に等しい整数であり、
−  Ｃｐ1およびＣｐ2は、同一または異なり、少なくとも２位および５位で置換されたシクロペンタジエニル基、置換フルオレニル基、非置換フルオレニル基および少なくとも２位で置換されたインデニル基からなる群から選択され、
−  前記シクロペンタジエニル基の２位および５位の置換基ならびに前記インデニル基の２位の置換基は、アルキルまたはアリールであり、
−  Ｐは、Ｃｐ1およびＣｐ2を架橋する基であり、式ＭＲ1Ｒ2に対応し、ＭはＳｉまたはＣ原子を表し、Ｒ1およびＲ2は、同一または異なり、アルキル基を表し、
−  ただし、Ｃｐ1が非置換フルオレニル基である場合、Ｃｐ2は非置換フルオレニル基以外、好ましくは非置換フルオレニル基および置換フルオレニル基以外であるという条件である）、
・アルキルマグネシウム化合物、アルキルリチウム化合物、グリニャール試薬およびアルキルリチウム化合物とアルキルアルミニウム化合物との混合物からなる群から選択される、共触媒としての有機金属化合物
を、少なくともベースとする触媒系。
【請求項２】
前記シクロペンタジエニル基の２位および５位の置換基ならびに前記インデニル基の２位の置換基であるアルキルまたはアリールが、それぞれ１〜６個の炭素原子、および６〜１２個の炭素原子を含み、好ましくはそれぞれ、メチルおよびフェニルである、請求項１に記載の触媒系。
【請求項３】
Ｍｅｔが、ランタニド原子Ｌｎであり、その原子番号が５７〜７１の範囲である、請求項１又は２に記載の触媒系。
【請求項４】
Ｍｅｔが、ネオジム原子である、請求項１から３までのいずれか１項に記載の触媒系。
【請求項５】
Ｃｐ1が、少なくとも２位で置換されたインデニル基を表す、請求項１から４までのいずれか１項に記載の触媒系。
【請求項６】
Ｃｐ1が、少なくとも２位および５位で、好ましくはメチルで置換されたシクロペンタジエニル基を表す、請求項１から５までのいずれか１項に記載の触媒系。
【請求項７】
Ｃｐ2が、置換または非置換フルオレニル基、好ましくは非置換フルオレニル基を表す、請求項５および６のいずれか１項に記載の触媒系。
【請求項８】
同一または異なるＣｐ1およびＣｐ2が、少なくとも２位において、好ましくはメチルまたはフェニルで、より好ましくはメチルで置換された、インデニル基をそれぞれ表す、請求項１から５までのいずれか１項に記載の触媒系。
【請求項９】
エチレンモノマーと共役ジエンモノマーとの混合物の共重合を含む、エチレンと共役ジエンとのコポリマーの調製プロセスであって、前記共重合が、請求項１から８までのいずれか１項に定義された、前記触媒系の存在下で実施され、前記共役ジエンが１，３−ブタジエンである、前記プロセス。
【請求項１０】
１，２−シクロヘキサンジイル単位およびｔｒａｎｓ−１，４単位を含み、請求項９に記載のプロセスにより得ることができる、エチレンと１，３−ブタジエンとのコポリマーにおいて、
−  ｔｒａｎｓ−１，４単位のモル含有量が、コポリマー鎖中に組み込まれる前記１，３−ブタジエンの５０％超を表すこと、
−  前記１，３−ブタジエンの前記コポリマー鎖へのモル組み込み度が、１１．５ｍｏｌ％〜３５ｍｏｌ％の範囲であり、組み込まれる前記１，３−ブタジエンのうちの１０ｍｏｌ％〜４０ｍｏｌ％、好ましくは２０ｍｏｌ％〜３５ｍｏｌ％が、ビニル単位および１，２−シクロヘキサンジイル単位の形態であることが知られており、
ｔｒａｎｓ−１，４単位が、そのトランス立体配置の式−ＣＨ2−ＣＨ＝ＣＨ−ＣＨ2−の１，４単位であり、１，２−シクロヘキサンジイル単位が、式（ＩＩ）
2018536759.tif 000001
(II)
の１，２−シクロヘキサンジイル単位であり、
組み込まれる前記１，３−ブタジエンのうちの０．５ｍｏｌ％未満が、ｃｉｓ−１，４単位の形態であり、前記ｃｉｓ−１，４単位が、そのシス立体配置の１，４単位である、前記コポリマー。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
複数の電極と前記複数の電極間の電解質とを備える電気化学セルの管理のための方法であって、
動作温度で電気化学反応のための熱中性電圧を下回る又はその付近である前記電気化学セルのための動作電圧を生じさせるステップと、
前記動作電圧及び前記動作温度で前記電気化学セルを動作させて、前記電気化学反応を生成するステップとを含み、
前記複数の電極のうちの少なくとも一つに適用される触媒が、前記動作電圧及び前記動作温度での前記電気化学反応を促進する、方法。
【請求項２】
前記動作電圧が前記熱中性電圧を下回る、請求項１に記載の方法。
【請求項３】
前記動作電圧が前記熱中性電圧である又はその付近である、請求項１に記載の方法。
【請求項４】
前記電気化学反応が吸熱電気化学反応であり、前記吸熱電気化学反応にヒータ又は発熱体から熱が印加される、請求項１〜３のいずれか一項に記載の方法。
【請求項５】
前記電気化学反応が吸熱電気化学反応であり、電気抵抗加熱、上流若しくは下流の廃熱、別個のプロセスの無関係廃熱、及び／又は周囲空気のうちの１つ又は複数から前記吸熱電気化学反応に熱が印加される、請求項１〜４のいずれか一項に記載の方法。
【請求項６】
前記電気化学セルの能動冷却がない、請求項１〜５のいずれか一項に記載の方法。
【請求項７】
断熱が前記電気化学セルを覆う、請求項１〜６のいずれか一項に記載の方法。
【請求項８】
前記電気化学セルが水電解槽であり、前記電気化学反応が水電解である、請求項１〜７のいずれか一項に記載の方法。
【請求項９】
前記触媒が前記複数の電極のうちの両方に適用される、請求項１〜８のいずれか一項に記載の方法。
【請求項１０】
前記触媒が、貴金属、Ｐｔ黒、炭素材料に担持されるＰｔ、カーボンブラック上のＰｔ、炭素材料上のＰｔ／Ｐｄ、カーボンブラック上のＰｔ／Ｐｄ、ＩｒＯ２、ＲｕＯ２、及びそれらの組合せの群から選択される、請求項１〜９のいずれか一項に記載の方法。
【請求項１１】
前記触媒が、ニッケル、ナノ粒子ニッケル、スポンジニッケル、ラネーニッケル、発泡ニッケル、ニッケル合金、ＮｉＭｏ、ＮｉＦｅ、ＮｉＡｌ、ＮｉＣｏ、ＮｉＣｏＭｏ、酸化ニッケル、オキシ水酸化物、水酸化物、及びそれらの組合せの群から選択される、請求項１〜９のいずれか一項に記載の方法。
【請求項１２】
前記触媒が、スピネル、ＮｉＣｏ２Ｏ４、Ｃｏ３Ｏ４、ＬｉＣｏ２Ｏ４、及びそれらの組合せの群から選択される、請求項１〜９のいずれか一項に記載の方法。
【請求項１３】
前記触媒が、ペロブスカイト、Ｌａ０．８Ｓｒ０．２ＭｎＯ３、Ｌａ０．６Ｓｒ０．４Ｃｏ０．２Ｆｅ０．８Ｏ３、Ｂａ０．５Ｓｒ０．５Ｃｏ０．２Ｆｅ０．８Ｏ３、及びそれらの組合せの群から選択される、請求項１〜９のいずれか一項に記載の方法。
【請求項１４】
前記触媒が、鉄、鉄化合物、ナノ粒子鉄粉末、モリブデン化合物、ＭｏＳ２、コバルト、コバルト化合物、ナノ粒子コバルト粉末、マンガン、マンガン化合物、ナノ粒子マンガン粉末、及びそれらの組合せの群から選択される、請求項１〜９のいずれか一項に記載の方法。
【請求項１５】
前記触媒が、乾燥時：
約５重量％〜約９５重量％のＰＴＦＥ、
約５重量％〜約９５重量％の触媒材料（複数可）を含む、請求項１〜１４のいずれか一項に記載の方法。
【請求項１６】
前記触媒が、乾燥時：
約５重量％〜約９０重量％のＰＴＦＥと、
約５重量％〜約９０重量％の被覆されていないカーボンブラックと、
約５重量％〜約９０重量％の触媒材料（複数可）とを含む、請求項１〜１４のいずれか一項に記載の方法。
【請求項１７】
電流密度が、前記電気化学セルを一定動作温度に又はその付近に維持するために変化される、請求項１〜１６のいずれか一項に記載の方法。
【請求項１８】
前記電流密度が波形で供給される、請求項１７に記載の方法。
【請求項１９】
前記電気化学セルの前記動作温度が２０℃以上である、請求項１〜１８のいずれか一項に記載の方法。
【請求項２０】
前記電気化学セルの前記動作温度が：
３０℃以上、
４０℃以上、
５０℃以上、
６０℃以上、
７０℃以上、
８０℃以上、
１００℃以上、
１５０℃以上、
２００℃以上、又は
４００℃以上である、請求項１９に記載の方法。
【請求項２１】
前記電解質が液体電解質又はゲル電解質である、請求項１〜２０のいずれか一項に記載の方法。
【手続補正書】
【提出日】令和2年1月28日(2020.1.28)
【手続補正１】
【補正対象書類名】明細書
【補正対象項目名】００３９
【補正方法】変更
【補正の内容】
【００３９】
また送信機２と受信機３を歯１２１１の歯面１２１２に平行に、すなわち歯車１１の回転軸に平行な方向にのみ互にずらして配置することも可能である。（図７Ａ、７Ｂ）。これによって送信機２から生成された表面音波は、少なくとも歯面１２１２にほぼ平行に受信機３まで伝播する。
なお、本発明は、実施の態様として以下の内容を含む。
〔態様１〕
―伝動ギヤ（１１１）を持つ少なくとも一つの第一の構成要素と
―前記第一の構成要素（１１）と共に作動する少なくとも一つの第二の構成要素（１２とを有する伝動ギヤシステムにおいて、
―前記第一および/または第二の構成要素（１１，１２）に配置されて前記第一および/または第二の構成要素（１１，１２）で発信された音波（ＳＡＷ）を受信する少なくとも一つの受信機（３）を備え、前記音波（ＳＡＷ）の受信時に、前記受信機（３）で生成された信号を評価して、前記伝動ギヤシステム（１）の特性に関する情報を判断することを特徴とする伝動ギヤシステム。
〔態様２〕
態様１の伝動ギヤシステムにおいて、前記第一の構成要素（１１）を歯車とすること特徴とする伝動ギヤシステム。
〔態様３〕
態様１または２の伝動ギヤシステムにおいて、前記第一の構成要素（１１）を、特には遊星伝動装置のリングギヤを、円錐歯車、冠歯車、ハイブリッド歯車または楕円歯車とすることを特徴とする伝動ギヤシステム。
〔態様４〕
態様１から３のいずれか一態様に記載の伝動ギヤシステムにおいて、前記第二の構成要素（１２）も同様に伝動ギヤ（１２１）を持つことを特徴とする伝動ギヤシステム。
〔態様５〕
態様４に記載の伝動ギヤシステムにおいて、前記第二の構成要素をラックとすることを特徴とする伝動ギヤシステム。
〔態様６〕
態様４または５のいずれか一態様に記載の伝動ギヤシステムにおいて、前記第一および第二の構成要素（１１，１２）の前記伝動ギヤの歯面が、前記第一および/または第二の構成要素（１１，１２）の運動方向に対してアーチ状に、または傾いて並ぶことを特徴とする伝動ギヤシステム。
〔態様７〕
態様４から６のいずれか一態様に記載の伝動ギヤシステムにおいて、前記第一、および第二の構成要素（１１，１２）の前記伝動ギヤがサイクロイド歯またはエボリュート歯で構成されることを特徴とする伝動ギヤシステム。
〔態様８〕
態様１から７のいずれか一態様に記載の伝動ギヤシステムにおいて、前記第一および/または第二の構成要素（１１，１２）に音波（ＳＡＷ）を発信するため少なくとも一つの送信機（２）を持つことを特徴とする伝動ギヤシステム。
〔態様９〕
態様８に記載の伝動ギヤシステムにおいて、前記送信機（２）が表面音波を前記第一および/または第二の構成要素（１１，１２）に発信するように構成されたことを特徴とする伝動ギヤシステム。
〔態様１０〕
態様１から９のいずれか一態様に記載の伝動ギヤシステムにおいて、前記の受信機（３）と送信機（２）が第一の構成要素（１１）に、あるいは受信機（３）と送信機（２）が第二の構成要素（１２）に配置されたことを特徴とする伝動ギヤシステム。
〔態様１１〕
態様８から１０のいずれか一態様に記載の伝動ギヤシステムにおいて、前記受信機（３）と前記送信機（２）が、前記第一構成要素（１１）の前記伝動ギヤ（１１１）から離れた側に、または前記受信機（３）と前記送信機（２）が、第二の構成要素（１２）の伝動ギヤ（１２１）から離れた側に配置されたことを特徴とする伝動ギヤシステム。
〔態様１２〕
態様８から１１のいずれか一態様に記載の伝動ギヤシステムにおいて、前記第一の構成要素（１１）が遊星伝動装置のリングギヤで、その送信機（２）と受信機（３）がリングギヤの外側に配置されたことを特徴とする伝動ギヤシステム。
〔態様１３〕
態様８から１１のいずれか一態様に記載の伝動ギヤシステムにおいて、前記第一の構成要素（１１）を、外側の伝動ギヤと孔（１１２）を持つ歯車とし、その孔（１１２）に送信機（２）および受信機（３）が配置されたことを特徴とする伝動ギヤシステム。
〔態様１４〕
態様８から１３のいずれか一態様に記載の伝動ギヤシステムにおいて、前記送信機（２）および/または受信機（３）が固定手段によって、分離可能に前記第一または第二の構成要素（１１，１２）に連結されたことを特徴とする伝動ギヤシステム。
〔態様１５〕
態様１から１４のいずれか一態様に記載の伝動ギヤシステムにおいて、前記音波（ＳＡＷ）が、前記第一および/または第二の構成要素（１１，１２）の歯面に対してある角度を持って伝播するように、前記送信機（２）および受信機（３）が配置されたことを特徴とする伝動ギヤシステム。
〔態様１６〕
特に態様１から１５のいずれか一態様に記載の伝動ギヤシステム（１）を使用する伝動ギヤシステム（１）の特性を判断する方法であって、
―伝動ギヤ（１１１）を持つ少なくとも一つの第一の構成要素（１１）と、前記第一の構成要素（１１）と共に作動する少なくとも一つの第二の構成要素（１２）とを設け、
―前記第一および/または第二の構成要素（１１，１２）に音波（ＳＡＷ）を発信するというステップにより伝動ギヤシステムの特性を判断する方法において、
前記第一および/または第二の構成要素（１１，１２）で生成された前記音波（ＳＡＷ）を前記第一および/または第二の構成要素（１１，１２）に配置した受信機（３）で受信し、また音波の受信時に、受信機（３）で生成された信号を評価して、伝動ギヤシステム（１）の特性に関する情報を判断することを特徴とする方法。
〔態様１７〕
態様１６に記載の方法において、前記受信機（３）の信号の評価により、前記伝動ギヤシステム（１）の潤滑剤の特性、前記伝動ギヤシステム（１）に加わる負荷に関する情報、および/または前記第一または第二の構成要素（１１，１２）の動きに関する情報を判断し、および/または前記第一および/または第二の構成要素（１１，１２）の不具合を検知することを特徴とする方法。
〔態様１８〕
態様１６または１７に記載の方法において、前記受信機（３）の前記信号の評価に、振幅、周波数スペクトラム、および/または信号、および/または信号中の構造体間の時間間隔のエンベロープの評価を含むことを特徴とする方法。
〔態様１９〕
態様１６から１８のいずれか一態様に記載の方法において、前記受信機（３）の前記信号の評価に、信号受信が流れている間のパターン認識を含むことを特徴とする方法。
【手続補正書】
【提出日】令和2年1月28日(2020.1.28)
【手続補正１】
【補正対象書類名】明細書
【補正対象項目名】００７２
【補正方法】変更
【補正の内容】
【００７２】
本発明によれば、相異なる試料ガス期間対基準ガス期間比率で、赤外線吸収が測定される。第１の測定は、前記キュベット内の試料ガス濃度が高くなる試料ガス期間対基準ガス期間比率で取られる。そして、少なくとも第２の測定が、前記キュベット内の試料ガスの濃度が低くなる、より小さい試料ガス期間対基準ガス期間比率で取られる。これらの相異なる測定信号の振幅が、実際の測定以前に測定されて前記評価装置のメモリに記憶された較正関数と比較される。当該評価装置には、天然ガス、メタンなどのそれぞれの試料ガス中の干渉性ガス不純物の濃度を様々に異ならせた場合の信号振幅対ガス濃度をそれぞれ表す、様々な較正関数が記憶されている。つまり、様々な種類の試料ガスについての較正関数が記憶されている。前記ガス試料中の実際のガス不純物濃度は、前記測定信号の振幅と比較された際に信号振幅に最も近いか又は最も類似している較正関数を選出することによって決定される。選出された当該較正関数のガス不純物濃度が、測定されたガス試料の実際のガス不純物濃度であると見なされる。
なお本発明は、実施の態様として以下の内容を含む。
〔態様１〕
試料ガス入口（１２）、基準ガス入口（１４）、ガス変調バルブ（１６）、およびメタン又は天然ガスの分析に用いられる赤外線吸収式ガス検出器（２４）を備えるガス検出システムにおける光干渉性ガス不純物の量を定量化する方法であって、
前記ガス変調バルブ（１６）が、試料ガス期間では前記試料ガス入口（１２）を前記ガス検出器（２４）に、基準ガス期間では前記基準ガス入口（１４）を前記ガス検出器（２４）に、交互に接続する、方法において、
それぞれ異なる試料ガス期間対基準ガス期間比率で取得され、前記ガス検出器（２４）における濃度が異なる、少なくとも２つの相異なる試料ガス濃度について、赤外線吸収を測定し、
相異なる測定信号の振幅を、メタン又は天然ガス中の干渉性ガス不純物の量が異なる場合の信号振幅対ガス濃度を表す較正関数と対比することにより、サンプリングされたガス中の実際のガス不純物濃度を決定することを特徴とする、方法。
〔態様２〕
試料ガス入口、基準ガス入口、ガス変調バルブ（１６）、およびメタン又は天然ガスの分析に用いられる赤外線吸収式ガス検出器（２４）を備えるガス検出システムでの光干渉性ガス不純物の量を定量化する方法であって、
前記ガス変調バルブ（１６）は、前記試料ガス入口（１２）を前記ガス検出器（２４）に、前記基準ガス入口（１４）を前記ガス検出器（２４）に、ガス変調周波数で交互に接続する方法において、
前記ガス変調周波数での第１の測定、および前記ガス変調周波数の少なくとも第１の偶数倍音での少なくとも第２の測定で得られ、前記ガス検出器（２４）内での濃度が異なる、少なくとも２つの相異なる試料ガス濃度について、赤外線吸収を測定し、
相異なる測定信号の振幅を、メタン又は天然ガス中の干渉性ガス不純物の量が異なる場合の信号振幅対ガス濃度を表す較正関数と対比することにより、サンプリングされたガス中の実際のガス不純物濃度を決定することを特徴とする、方法。
〔態様３〕
態様１または２に記載の方法において、前記赤外線吸収を、３つ以上の相異なる試料ガス濃度で測定して、前記較正関数と比較することにより、前記サンプリングされたガス中の実際のガス不純物濃度を決定する、方法。
〔態様４〕
態様１から３のいずれか一態様に記載の方法において、前記サンプリングされたガスが天然ガスであり、かつ、前記干渉性不純物ガスがエタン、空気よりも重い他種の炭化水素、あるいは、空気よりも重い他種の少なくとも１種の炭化水素とエタンとの混合物である、方法。
〔態様５〕
態様１から４のいずれか一態様に記載の方法において、前記ガス検出器（２４）の赤外線光源が、前記ガス変調周波数よりも低いランプ変調周波数でオンとオフとを繰返し切り替えられて（変調されて）、前記ガス検出器（２４）の前記測定信号が、前記ランプ変調周波数の整数倍で分析される、方法。
〔態様６〕
態様１から５のいずれか一態様に記載の方法において、前記ガス変調周波数が、前記ランプ変調周波数の整数倍である、方法。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
ハウジング；
前記ハウジングに配置される基板；
前記基板の一側面に配置される第１光源及び前記基板の一側面に反対面である他側面に配置される第２光源；および
前記第２光源の光照射線上に配置されるライトガイドを含み、
前記ライトガイドは前記第２光源の光が入射する入射面、出射面及び前記入射面と前記出射面間の複数個の側面を含む、ランプ。
【請求項２】
前記ハウジングは前記基板の一側面に配置される第１ハウジング部と前記基板の他側面に配置される第２ハウジング部を含む、請求項１に記載のランプ。
【請求項３】
前記第１光源および前記第２光源は、所定の離隔距離（ｄ）で離隔して前記基板に設置される、請求項１または請求項２に記載のランプ。
【請求項４】
前記第１光源の光照射線上に配置される第１レンズと前記第１光源と前記第１レンズとの間に前記第１レンズに離隔して配置されるディフューザーをさらに含む、請求項１〜請求項３のいずれか一項に記載のランプ。
【請求項５】
前記ライトガイドの一端は、前記第２光源に離隔するように配置される、請求項１〜請求項４のいずれか一項に記載のランプ。
【請求項６】
前記ライトガイドの出射面と対向して配置される第２レンズをさらに含む、請求項１〜請求項５のいずれか一項に記載のランプ。
【請求項７】
前記ライトガイドの複数個の側面のうち一つは、前記第２ハウジング部の内面と離隔するように配置される、請求項２に記載のランプ。
【請求項８】
前記第２ハウジング部の内面には、反射部が配置される、請求項２または請求項７に記載のランプ。
【請求項９】
前記ライトガイドの入射面と出射面は平行でなく、前記ライトガイドの側面はおれ曲がって形成されて前記ライトガイドの出射面は前記第２レンズに向かって配置される、請求項６に記載のランプ。
【請求項１０】
前記出射面は、前記第２レンズに向かって突出するように形成された、請求項９に記載のランプ。
【請求項１１】
テールランプとストップランプとして利用される請求項１〜請求項１０のいずれか一項に記載されたランプを具備する、車両。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
ホスト車両のためのナビゲーションシステムであって、
データインタフェースと、
少なくとも１つの処理デバイスであって、
前記データインタフェースを介して、前記ホスト車両に関連付けられる少なくとも１つの画像捕捉デバイスから複数の画像を受信することと、
前記複数の画像の分析に基づいて、前記ホスト車両の環境中の少なくとも１つの標的車両を識別することと、
前記複数の画像の分析に基づいて、前記標的車両に関連付けられる１つ又は複数の状況的特徴を特定することと、
利他的行動パラメータに関連付けられる現在の値を特定することと、
前記標的車両に関連付けられる前記１つ又は複数の状況的特徴に基づいて、前記ホスト車両のナビゲーション状態の変更が必要ではないことを特定するが、前記利他的行動パラメータに関連付けられる前記現在の値に基づいて、及び前記標的車両に関連付けられる前記１つ又は複数の状況的特徴に基づいて、前記ホスト車両における少なくとも１つのナビゲーション変更を生じさせることと
を行うようにプログラムされる少なくとも１つの処理デバイスと
を含むシステム。
【請求項２】
前記１つ又は複数の状況的特徴は、前記標的車両が前記ホスト車両の経路へのコース変更から利益を得るであろうことを示す、請求項１に記載のシステム。
【請求項３】
前記１つ又は複数の状況的特徴は、前記標的車両が、前記ホスト車両が走行しているレーンに隣接するレーンを走行していることを示し、前記標的車両が、前記標的車両より低速であって且つ前記ホスト車両より低速で移動している車両の後方にある、請求項１または２に記載のシステム。
【請求項４】
前記利他的行動パラメータの前記値は、前記ホスト車両のオペレータからの入力に基づいて設定される、請求項１から３のいずれか一項に記載のシステム。
【請求項５】
前記利他的行動パラメータの前記値は、前記ホスト車両のオペレータのためのカレンダ登録情報を解析することによって特定される少なくとも１つの情報要素に基づいて設定される、請求項１から４のいずれか一項に記載のシステム。
【請求項６】
前記利他的行動パラメータの前記値は、乱数生成機能の出力に基づいて設定される、請求項１から５のいずれか一項に記載のシステム。
【請求項７】
前記利他的行動パラメータの前記値は、前記１つ又は複数の状況的特徴が前記ホスト車両の経路へのコース変更から利益を得るであろうことを示す標的車両との所定の遭遇回数に基づいて設定される、請求項１から６のいずれか一項に記載のシステム。
【請求項８】
前記利他的行動パラメータの前記値は、前記ホスト車両がいる経路へのコース変更から利益を得るであろうことを前記１つ又は複数の状況的特徴が示す標的車両との遭遇の少なくとも所定のパーセンテージにおいて、前記ホスト車両におけるナビゲーション変更が生じさせられるように更新される、請求項１から７のいずれか一項に記載のシステム。
【請求項９】
前記所定のパーセンテージは、少なくとも１０％である、請求項８に記載のシステム。
【請求項１０】
前記所定のパーセンテージは、少なくとも２０％である、請求項８に記載のシステム。
【請求項１１】
ホスト車両であって、
本体と、
少なくとも１つの画像捕捉デバイスと、
少なくとも１つの処理デバイスであって、
前記少なくとも１つの画像捕捉デバイスから複数の画像を受信することと、
前記複数の画像の分析に基づいて、前記ホスト車両の環境中の少なくとも１つの標的車両を識別することと、
前記複数の画像の分析に基づいて、前記標的車両に関連付けられる１つ又は複数の状況的特徴を特定することと、
利他的行動パラメータに関連付けられる現在の値を特定することと、
前記標的車両に関連付けられる前記１つ又は複数の状況的特徴に基づいて、前記ホスト車両のナビゲーション状態の変更が必要ではないことを特定するが、前記利他的行動パラメータに関連付けられる前記現在の値に基づいて、及び前記標的車両に関連付けられる前記１つ又は複数の状況的特徴に基づいて、前記ホスト車両における少なくとも１つのナビゲーション変更を生じさせることと
を行うようにプログラムされる少なくとも１つの処理デバイスと
を含むホスト車両。
【請求項１２】
前記１つ又は複数の状況的特徴は、前記標的車両が前記ホスト車両の経路へのコース変更から利益を得るであろうことを示す、請求項１１に記載のホスト車両。
【請求項１３】
前記１つ又は複数の状況的特徴は、前記標的車両が、前記ホスト車両が走行しているレーンに隣接するレーンを走行していることを示し、前記標的車両は、前記標的車両より低速であって且つ前記ホスト車両より低速で移動している車両の後方にある、請求項１１または１２に記載のホスト車両。
【請求項１４】
前記利他的行動パラメータの前記値は、前記ホスト車両のオペレータからの入力に基づいて設定される、請求項１１から１３のいずれか一項に記載のホスト車両。
【請求項１５】
前記利他的行動パラメータの前記値は、前記ホスト車両のオペレータのためのカレンダ登録情報を解析することによって特定される少なくとも１つの情報要素に基づいて設定される、請求項１１から１４のいずれか一項に記載のホスト車両。
【請求項１６】
前記利他的行動パラメータの前記値は、乱数生成機能の出力に基づいて設定される、請求項１１から１５のいずれか一項に記載のホスト車両。
【請求項１７】
前記利他的行動パラメータの前記値は、前記１つ又は複数の状況的特徴が前記ホスト車両の経路へのコース変更から利益を得るであろうことを示す標的車両との所定の遭遇回数に基づいて設定される、請求項１１から１６のいずれか一項に記載のホスト車両。
【請求項１８】
前記利他的行動パラメータの前記値は、前記ホスト車両がいる経路へのコース変更から利益を得るであろうことを前記１つ又は複数の状況的特徴が示す標的車両との遭遇の少なくとも所定のパーセンテージにおいて、前記ホスト車両におけるナビゲーション変更が生じさせられるように更新される、請求項１１から１７のいずれか一項に記載のホスト車両。
【請求項１９】
前記所定のパーセンテージは、少なくとも１０％である、請求項１８に記載のホスト車両。
【請求項２０】
ホスト車両をナビゲートする方法であって、
前記ホスト車両に関連付けられる少なくとも１つの画像捕捉デバイスから複数の画像を受信することと、
前記複数の画像の分析に基づいて、前記ホスト車両の環境中の少なくとも１つの標的車両を識別することと、
前記複数の画像の分析に基づいて、前記標的車両に関連付けられる１つ又は複数の状況的特徴を特定することと、
利他的行動パラメータに関連付けられる現在の値を特定することと、
前記標的車両に関連付けられる前記１つ又は複数の状況的特徴に基づいて、前記ホスト車両のナビゲーション状態の変更が必要ではないことを特定するが、前記利他的行動パラメータに関連付けられる前記現在の値に基づいて、及び前記標的車両に関連付けられる前記１つ又は複数の状況的特徴に基づいて、前記ホスト車両における少なくとも１つのナビゲーション変更を生じさせることと
を含む方法。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
胴体；
前記胴体によって互いに電気的に離隔した第１及び第２リードフレーム；及び
発光素子を取り囲むように前記胴体と前記第１及び第２リードフレーム上に配置されたモールディング部材を含み、
前記胴体は、
前記第１及び第２リードフレームを互いに電気的に分離させ、前記第１及び第２リードフレームと一緒にキャビティを定義する内側胴体；及び
前記内側胴体の外側面を取り囲み、前記内側胴体とは違う素材を有する外側胴体を含み、
前記発光素子は前記キャビティ内に配置され、
前記内側胴体は前記外側導体より優れた反射性を有し、
前記外側胴体は前記内側胴体より優れた剛性を有する、発光素子パッケージ。
【請求項２】
前記内側胴体と前記外側胴体のそれぞれはＥＭＣを含み、前記内側胴体はホワイトＥＭＣを含み、前記外側胴体は前記ブラックＥＭＣを含む、請求項１に記載の発光素子パッケージ。
【請求項３】
前記内側胴体は、
前記第１及び第２リードフレームを互いに電気的に離隔させる下部；及び
前記下部から伸びて前記キャビティの側面を形成する側部を含み、
前記内側胴体は、前記外側胴体の上部面を貫通する反射突出部をさらに含み、
前記反射突出部は前記外側胴体の上部面を２等分又は４等分する、請求項１又は２に記載の発光素子パッケージ。
【請求項４】
前記内側胴体の下部は複数の貫通孔を含み、
前記第１リードフレームは、
前記複数の貫通孔の一部に挿入されて配置された第１下側リードフレーム；及び
前記第１下側リードフレーム上に配置され、前記キャビティの底面の一部を形成する第１上側リードフレームを含み、
前記第２リードフレームは、
前記複数の貫通孔の他部に挿入されて配置された第２下側リードフレーム；及び
前記第２下側リードフレーム上に配置され、前記キャビティの前記底面の他部を形成する第２上側リードフレームを含む、請求項３に記載の発光素子パッケージ。
【請求項５】
前記第１下側リードフレームと前記第１上側リードフレームは一体型であり、前記第２下側リードフレームと前記第２上側リードフレームは一体型である、請求項４に記載の発光素子パッケージ。
【請求項６】
前記第１上側リードフレームと前記第２上側リードフレームと前記内側胴体の下部は前記キャビティの底面に相当する同一平面を形成する、請求項４に記載の発光素子パッケージ。
【請求項７】
前記内側胴体の側部は少なくとも一つの内側締結孔を含み、
前記外側胴体は前記内側締結孔と連通する少なくとも一つの外側締結孔を含み、
前記第１及び第２リードフレームのそれぞれは前記内側締結孔と前記外側締結孔に埋め込まれて前記内側胴体と前記外側胴体を締結する締結突出部を含む、請求項１〜６のいずれか一項に記載の発光素子パッケージ。
【請求項８】
前記少なくとも一つの内側締結孔は互いに一定の間隔で離隔した複数の内側締結孔を含み、
前記少なくとも一つの外側締結孔は互いに一定の間隔で離隔した複数の外側締結孔を含む、請求項７に記載の発光素子パッケージ。
【請求項９】
前記キャビティを覆うように配置された上部構造物をさらに含む、請求項８に記載の発光素子パッケージ。
【請求項１０】
請求項１〜９のいずれか一項に記載の発光素子パッケージを含む、照明装置。
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
品質チェックモジュールであって、
試料を収容する試料容器を受け取るように構成された前記品質チェックモジュール内の画像化位置と、
前記画像化位置に隣接する１つ以上の視点に位置する１つ以上のカメラと、
前記画像化位置に隣接して位置し、前記１つ以上のカメラに照明を提供するように構成された光パネル組立部を含み、複数の異なるスペクトル間で動作可能に切り替え可能に構成された１つ以上のスペクトル切替可能光源と、
を備えた品質チェックモジュール。
【請求項２】
前記光パネル組立部は、
取付フレームと、
光ガイドと、
前記光ガイド内に光を放出し、前記光パネル組立部の前面の照明を提供するように構成された光源と、
を備える請求項１に記載の品質チェックモジュール。
【請求項３】
前記スペクトル切替可能光源が、
発光照明要素を含む前記光パネル組立部と、
２つ以上の個々に選択可能なバンドパスフィルタを含むフィルタ組立部と、
を備える請求項１または２に記載の品質チェックモジュール。
【請求項４】
前記個々に選択可能なバンドパスフィルタは、赤、緑、及び青のバンドパスフィルタを含む請求項３に記載の品質チェックモジュール。
【請求項５】
前記個々に選択可能なバンドパスフィルタは、近赤外線バンドパスフィルタ又は紫外線バンドパスフィルタを含む請求項３に記載の品質チェックモジュール。
【請求項６】
１つ以上の視点に位置する前記１つ以上のカメラは、スペクトル選択的であり、２つ以上の選択された異なる離散的スペクトルを出力するように構成された請求項１〜５のいずれか１項に記載の品質チェックモジュール。
【請求項７】
前記画像化位置の周囲の複数の視点に配置された複数のカメラと、
前記撮像位置を照明するように配置される複数のスペクトル切替可能光源と、
を備える請求項１〜６のいずれか１項に記載の品質チェックモジュール。
【請求項８】
前記１つ以上のカメラは、前記光パネル組立部によって照明されている間に複数の異なる露光時間及び複数の異なるスペクトルで複数の側方画像をキャプチャするように構成されている請求項１〜７のいずれか１項に記載の品質チェックモジュール。
【請求項９】
前記光パネル組立部は、背面照明、前面照明、又は背面照明と前面照明との組み合わせを提供する請求項１〜８のいずれか１項に記載の品質チェックモジュール。
【請求項１０】
品質チェックモジュールであって、
試料を収容する試料容器を受け取るように構成された前記品質チェックモジュール内の画像化位置と、
前記画像化位置の周囲の複数の視点に配置された複数のカメラと、
複数のスペクトル切替可能光源であって、それぞれが前記画像化位置に隣接して配置され、前記複数のカメラに照明を提供するように構成された光パネル組立部を含み、複数の異なるスペクトル間で切り替え可能に構成された前記複数のスペクトル切替可能光源と、
を備える品質チェックモジュール。
【請求項１１】
各光パネル組立部は、
取付フレームと
光ガイドと、
前記光ガイド内に光を放出し、前記光パネル組立部のパネル前面の照明を提供するように構成された光源と、
を備える請求項１０に記載の品質チェックモジュール。
【請求項１２】
前記複数のスペクトル切替可能光源のうちの１つ以上が、
照明要素を含む前記光パネル組立部と、
個々に選択可能なバンドパスフィルタを含むフィルタ組立部と、
を備える請求項１０または１１に記載の品質チェックモジュール。
【請求項１３】
前記試料容器を前記画像化位置に保持するキャリアを備える請求項１０〜１２のいずれか１項に記載の品質チェックモジュール。
【請求項１４】
前記複数のカメラは、前記光パネル組立部によって照明されている間に複数の異なる露出及び前記複数の異なるスペクトルで複数の側方画像をキャプチャするように構成される請求項１０〜１３のいずれか１項に記載の品質チェックモジュール。
【請求項１５】
各光パネル組立部内の光源は、
光ガイドの第１のエッジに沿って配置された少なくとも２つの異なるスペクトルを発光するように構成された照明要素を含む第１の光アレイと、
光ガイドの第２のエッジに沿って配置された少なくとも２つの異なるスペクトルを発光するように構成された照明要素を含む第２の光アレイと、
を含む請求項１０〜１４のいずれか１項に記載の品質チェックモジュール。
【請求項１６】
前記複数のカメラに接続され、前記複数のカメラから取得された画像データを処理するように構成されたコンピュータであって、
異なる露光時間の画像から最適に露光された画素を選択し、各スペクトルについて最適に露光された画像データを生成し、
統計データを生成するために各スペクトルにおける前記最適に露光された画素の統計を計算し、
試料の少なくとも血清又は血漿部分を識別する
ように構成され操作可能な前記コンピュータ、
を備えた請求項１０〜１５のいずれか１項に記載の品質チェックモジュール。
【請求項１７】
前記コンピュータは、前記試料容器の物理的寸法特徴を特徴付けるように動作可能である請求項１６に記載の品質チェックモジュール。
【請求項１８】
前記複数の視点に配置された前記複数のカメラは、スペクトル選択的であり、２つ以上の選択された異なる離散的スペクトルを出力するように構成される請求項１０〜１７のいずれか１項に記載の品質チェックモジュール。
【請求項１９】
試料容器と試料の一方または双方を特徴付ける方法であって、
試料を収容する試料容器を画像化位置に提供し、
前記画像化位置で画像をキャプチャするように構成された１つ以上のカメラを備え、
前記１つ以上のカメラに照明を提供するように構成された１つ以上の光パネル組立部を
備え、
前記１つ以上の光パネル組立部により前記画像化位置を照明し、
前記１つ以上のカメラにより前記試料容器と試料の複数の画像を複数の異なるスペクトルでキャプチャする
ことを含む方法。
【請求項２０】
前記複数の画像は、複数の異なる露光でキャプチャされる請求項１９に記載の方法。
【請求項２１】
前記複数の画像を処理して、前記試料容器と前記試料の一方または双方を特徴付けること含む請求項１９または２０に記載の方法。
【請求項２２】
試料検査装置であって、
トラックと、
試料容器を収容するように構成された前記トラック上のキャリアと、
前記トラック上の前記品質チェックモジュールであって、
試料を含む試料容器を受け取るように構成された前記品質チェックモジュール内の画像化位置と、
前記画像化位置に隣接する１つ以上の視点に配置される１つ以上のカメラと、
１つ以上のスペクトル切替可能光源であって、それぞれが前記画像化位置に隣接して配置され、前記１つ以上のカメラに照明を提供するように構成された光パネル組立部を含み、複数の異なるスペクトルの間で切り替え可能に構成された１つ以上のスペクトル切替可能光源と、
を備えた品質チェックモジュールと、
を含む試料検査装置。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
最適な走査軌跡を決定することによってスライド上の被検物の合焦された画像を取得するための方法であって、
前記被検物の位置を特定するために前記スライドの比較的低い倍率の画像を取り込むことと、
グリッド点の配置を含むグリッドを形成することと、
前記被検物の少なくとも一部分をカバーする視野にわたって前記グリッドの少なくとも一部分を被せることと、
前記視野の範囲内の前記被検物の画像の比較的高い倍率のＺスタックを取り込むことと、
前記グリッドの前記少なくとも一部分の範囲内の各グリッド点に関する１つまたは複数の最善の焦点値を決定して、最終結果としての３次元の点のグリッドを形成することと、
前記最終結果としてのグリッドに基づいて１つまたは複数の３次元走査軌跡を決定することとを含む方法。
【請求項２】
各グリッド点に関する前記１つまたは複数の最善の焦点値を決定した後に画像の前記Ｚスタックを破棄することをさらに含む、請求項１に記載の方法。
【請求項３】
前記グリッドが２次元面に形成され、
画像の比較的高い倍率のＺスタックを取り込むことが、前記２次元面に対して垂直な光ビームを使用することを含む、請求項１または２に記載の方法。
【請求項４】
前記被検物の合焦された画像をスティッチングして、前記被検物全体の複合画像を手に入れることをさらに備える、請求項３に記載の方法。
【請求項５】
前記１つまたは複数の走査軌跡がマルチスペクトル軌跡を含む、請求項１から４のいずれか一項に記載の方法。
【請求項６】
前記グリッドの前記少なくとも一部分の範囲内の各グリッド点に関する前記１つまたは複数の最善の焦点値を決定することが、それぞれのグレイスケールおよび選択された興味のある色について、ぼけの量が最小の画像の前記Ｚスタックにおいて焦点面を識別することと、
前記識別された焦点面のＺ値を、前記各グリッド点に関する最善の焦点Ｚ値として設定することとを含む、請求項５に記載の方法。
【請求項７】
それぞれの最善の合焦点が、画像の前記Ｚスタックの各画像の範囲内の１つまたは複数の画像フィーチャの最大の平均勾配を有する、請求項６に記載の方法。
【請求項８】
最適な走査軌跡を決定することによってスライド上の被検物の合焦された画像を取得するためのシステムであって、前記システムが、
前記スライドの比較的低い倍率の画像を取り込んで前記被検物の位置を特定するデジタル撮像装置と、
グリッド点の配置から成るグリッドを形成するデジタル撮像システムとを備え、
前記デジタル撮像システムが、前記被検物の少なくとも一部分をカバーする視野にわたって前記グリッドの少なくとも一部分を被せ、
前記デジタル撮像装置が、前記視野の範囲内の前記被検物の画像の比較的高い倍率のＺスタックを取り込み、
前記デジタル撮像システムが、前記グリッドの前記少なくとも一部分の範囲内の各グリッド点に関する１つまたは複数の最善の焦点値を決定して、最終結果としての３次元の点のグリッドを形成し、
前記デジタル撮像システムが、前記最終結果としてのグリッドに基づいて１つまたは複数の３次元走査軌跡を決定する、システム。
【請求項９】
グレイスケール画像、興味のある色の画像、および被検物全体の複合画像のうち任意の１つまたは複数にリモートでアクセスして表示するユーザステーションをさらに含む、請求項８に記載のシステム。
【請求項１０】
最適な走査軌跡を決定することによりスライド上の被検物の合焦された画像を取得するための、非一時的なプロセッサ可読媒体上にあるコンピュータプログラム製品であって、前記コンピュータプログラム製品が、プロセッサ実行可能命令コードを含み、
前記被検物の位置を特定するために、デジタル撮像装置に対して比較的低い倍率の前記スライドの画像を取り込むように命令するための命令コードの第１の組と、
グリッド点の配置から成るグリッドを形成するための命令コードの第２の組と、
前記被検物の少なくとも一部分をカバーする視野にわたって前記グリッドの少なくとも一部分を被せるための命令コードの第３の組と、
前記視野の範囲内の前記被検物の画像の比較的高い倍率のＺスタックを取り込むための命令コードの第４の組と、
前記グリッドの前記少なくとも一部分の範囲内の各グリッド点に関する１つまたは複数の最善の焦点値を決定して、最終結果としての３次元の点のグリッドを形成するための命令コードの第５の組とを備え、
命令コードの第６の組が、前記最終結果としてのグリッドに基づいて１つまたは複数の３次元走査軌跡を決定する、コンピュータプログラム製品。
【請求項１１】
各グリッド点に関する前記１つまたは複数の最善の焦点値を決定した後に画像の前記Ｚスタックを破棄するための命令コードの第７の組をさらに備える、請求項１０に記載のコンピュータプログラム製品。
【請求項１２】
前記命令コードの第５の組が、それぞれのグレイスケールおよび選択された興味のある色に関して、ぼけの量が最小の画像の前記Ｚスタックにおける焦点面を識別することにより、前記グリッドの前記少なくとも一部分の範囲内のそれぞれのグリッド点に関する前記１つまたは複数の最善の焦点値を決定し、
前記命令コードの第５の組が、前記識別された焦点面のＺ値を、前記各グリッド点に関する最善の焦点Ｚ値として設定する、請求項１０又は１１に記載のコンピュータプログラム製品。
【請求項１３】
それぞれの最善の合焦点が、画像の前記Ｚスタックの各画像の範囲内の１つまたは複数の画像フィーチャの最大の平均勾配を有する、請求項１２に記載のコンピュータプログラム製品。
【請求項１４】
リモートで設置されたユーザステーションに、グレイスケール画像、興味のある色の画像、および被検物全体の複合画像のうち任意の１つまたは複数にアクセスして表示させることを可能にするための命令コードの第７の組をさらに含む、請求項１０から１３のいずれか一項に記載のコンピュータプログラム製品。